(57)【要約】【課題】  筐体の側壁が互いに非平行である二つの平板状部を接続する湾曲接続部を備える構造でありながら、室外機全体として熱交換効率を高くできる空気調和装置の室外機を提供すること。【解決手段】  フィン２３ａ、２３ｂ、２９ａ、２９ｂの下端位置が、筐体の内周側から外周側へのフィンの並び順に従って徐々に下方に位置するように、並び順に沿って配設された複数のフィンの上下方向長を互いに異ならせた。【選択図】  図３
2018031490.tif 000002
【特許請求の範囲】
【請求項１】
水平面で切断した断面が直線状をなす複数の平板状部、及び、水平面で切断した断面が湾曲形状をなし且つ互いに非平行である二つの前記平板状部の側縁部同士を接続する湾曲接続部、によって側壁の少なくとも一部が構成された筐体と、
上下方向に延びる複数のフィンを前記筐体の周方向に対して直交するように前記周方向に並べることにより構成され、且つ、前記平板状部の少なくとも一部及び前記湾曲接続部の少なくとも一部を構成する筐体構成部と、
前記筐体の周方向に対向する前記フィン同士の間に形成された、前記筐体の内周側空間と外周側空間とを連通する連通路と、
前記フィンと接触し且つ内部を伝熱流体が流れる伝熱流体流通管と、
前記筐体内に配設された、前記連通路を通って前記外周側空間側へ流れる気流を発生させ且つ前記フィンの上部と水平方向に対向するファンと、
を備え、
前記フィンの下端位置が、前記筐体の内周側から外周側への前記フィンの並び順に従って徐々に下方に位置するように、前記並び順に沿って配設された複数の前記フィンの上下方向長を互いに異ならせた、空気調和装置の室外機。
【請求項２】
請求項１に記載の空気調和装置の室外機において、
前記フィンの板厚方向に見たときの前記フィンの形状が、水平方向寸法より上下寸法が長い長方形である、空気調和装置の室外機。
【請求項３】
請求項１に記載の空気調和装置の室外機において、
少なくとも一部の前記フィンの下縁部が、水平方向に対して傾斜し且つ前記筐体の内周側から外周側へ向かうにつれて徐々に下方へ向かう傾斜面によって構成された、空気調和装置の室外機。
【発明の詳細な説明】
【技術分野】
【０００１】
本発明は、室内機及び室外機を備える空気調和装置の室外機に関する。
【背景技術】
【０００２】
従来から室内機と室外機とを備える空気調和装置が知られている。
【０００３】
室外機は、圧縮機、膨張弁、アキュムレータ、ファン及びこれらの部材を内部に収納した筐体を備えている。
さらに筐体の一部は、互いに平行をなす多数のフィンにより構成されている。各フィンは、上下方向に長い薄板状部材であり、その幅方向は筐体の側壁の厚み方向（換言すると、筐体の内周部と外周部とを結ぶ方向）と平行である。さらに隣接するフィンの間には、筐体をその厚み方向に貫通し且つ筐体の内側空間と外側空間とを連通する多数の連通路が形成されている。さらに各フィンには冷却用チューブが接続されている。フィン及び冷却用チューブが室外熱交換器を構成している。
室外機のファンが作動すると、筐体の外側空間の空気が連通路を介して内側空間へ流れ込み、さらに筐体の連通路（室外熱交換器）とは別の部位に形成された開口から外側空間へ流れ出る。このようにファンの働きによって、室外機の内外の間を流れる気流が形成される。
【０００４】
空気調和装置は冷媒管を備えている。冷媒管の一部は室内機の室内熱交換器に接続されており、さらに別の一部には冷却用チューブが接続されている。さらに冷媒管には、圧縮機、膨張弁及びアキュムレータが設けられている。
【０００５】
例えば空気調和装置が冷房運転を行うとき、室内熱交換器が（室内機が設置された）室内の空気と熱交換を行う。即ち、室内熱交換器が室内の空気から熱を奪う。そのため、室内の空気が冷やされ、且つ、室内熱交換器が加熱される。そのため、室内熱交換器において冷媒管内の冷媒が加熱され、さらにこの冷媒が冷媒管を介して室外機の室外熱交換器へ送られる。
すると室外熱交換器を構成する冷却用チューブ内の冷媒の熱が、冷却用チューブの表面及び冷却用チューブに接触するフィンの表面から放熱される。そのためファンによって形成された気流によって、この熱は室外機の外側に排出される。
【０００６】
ところで、一定時間内に連通路を流れる空気流量が連通路全体で均一となるように室外熱交換器を作動させると、室外熱交換器の冷房運転時における熱交換効率（放熱効率）が高くなる。換言すると、室外熱交換器の冷房運転時における熱交換効率を高くするためには、連通路を流れる気流の流速を連通路全体でできる限り均一にする必要がある。但し、このときの気流の流量は、室外熱交換器に高い熱交換効率を発揮させるのに十分な量である必要がある。即ち、本明細書において気流の流速が「均一」という場合は、この気流の一定時間における流量が室外熱交換器の熱交換効率を高くするのに十分な量であることを意味する。
しかしながら、一般的にファンによって連通路に形成される気流の流速は、ファンからの距離が近いほど速くなり、遠くなるほど遅くなり易い。そして室外熱交換器（連通路）の各部位とファンとの距離は、各部位ごとに異なる。そのため、一般的に連通路を流れる気流の風速は、室外熱交換器の各部位ごとに異なる。
【０００７】
特許文献１はこの課題を解決可能な空気調和装置の室外機を開示している。
特許文献１の室外機では、室外熱交換器の各部位を構成するフィンの幅（筐体の側壁の厚み方向の寸法）を、ファンとの位置関係に応じて設定している。即ち、ファンとの距離が近い部位ではフィンを広幅にし、ファンとの距離が遠い部位ではフィンを狭幅にしている。換言すると、ファンとの距離が近い部位では連通路の通風抵抗を大きくし、ファンとの距離が遠い部位では連通路の通風抵抗を小さくしている。
そのため特許文献１の室外機では、連通路を流れる気流の風速が、室外熱交換器（連通路）の大部分でおおよそ均一になる。従って、特許文献１の空気調和装置の熱交換効率（放熱効率）は高くなる。
【先行技術文献】
【特許文献】
【０００８】
【特許文献１】特開２０１３−１３０３２９号公報
【発明の概要】
【０００９】
（発明が解決しようとする課題）
特許文献１の室外機の筐体の水平面で切断した断面形状は略四角形である。即ち、この筐体の側壁は、水平面で切断した断面が直線状をなす四つの平板状部と、水平面で切断した断面が湾曲形状をなし且つ互いに略直交する二つの平板状部の側縁部同士を接続する四つの湾曲接続部と、を備えている。
【００１０】
特許文献１では、各平板状部を構成するフィンのファンとの距離が近い部位を広幅にし、且つ、各平板状部を構成するフィンのファンとの距離が遠い部位を狭幅にしている。その一方で、各湾曲接続部を構成する各フィンの幅は、ファンとの距離に拘わらず一定である。
【００１１】
そのため特許文献１の室外機は、室内熱交換器の中の各平板状部によって構成された部分では、連通路を流れる気流の風速がおおよそ均一になる。
その一方で、室内熱交換器の中の各湾曲接続部のファンからの距離が遠い部分では、連通路を流れる気流の風速が湾曲接続部の他の部分より遅くなる。即ち、各湾曲接続部によって構成された部分では連通路を流れる気流の風速が均一にならない。
従って、室外機全体としては熱交換効率（放熱効率）が高くなるとは言い難い。
【００１２】
本発明は、筐体の側壁が互いに非平行である二つの平板状部を接続する湾曲接続部を備える構造でありながら、室外機全体として熱交換効率を高くできる空気調和装置の室外機を提供することを目的とする。
【００１３】
（課題を解決するための手段）
本発明は、水平面で切断した断面が直線状をなす複数の平板状部、及び、水平面で切断した断面が湾曲形状をなし且つ互いに非平行である二つの前記平板状部の側縁部同士を接続する湾曲接続部、によって側壁の少なくとも一部が構成された筐体と、上下方向に延びる複数のフィンを前記筐体の周方向に対して直交するように前記周方向に並べることにより構成され、且つ、前記平板状部の少なくとも一部及び前記湾曲接続部の少なくとも一部を構成する筐体構成部と、前記筐体の周方向に対向する前記フィン同士の間に形成された、前記筐体の内周側空間と外周側空間とを連通する連通路と、前記フィンと接触し且つ内部を伝熱流体が流れる伝熱流体流通管と、前記筐体内に配設された、前記連通路を通って前記外周側空間側へ流れる気流を発生させ且つ前記フィンの上部と水平方向に対向するファンと、を備え、前記フィンの下端位置が、前記筐体の内周側から外周側への前記フィンの並び順に従って徐々に下方に位置するように、前記並び順に沿って配設された複数の前記フィンの上下方向長を互いに異ならせるのがよい。
【００１４】
例えば、四枚のフィンが上記並び順に沿って配設されている場合に、全てのフィンの下端位置が、筐体の内周側から外周側への各フィンの並び順に従って徐々に下方に位置するように構成されてもよい。
また、例えば、四枚のフィンが上記並び順に沿って配設されている場合に、内周側の三枚のフィンの下端位置のみが、筐体の内周側から外周側への各フィンの並び順に従って徐々に下方に位置するように構成されてもよい。
【００１５】
本発明の室外機の筐体は、水平面で切断した断面が直線状をなす複数の平板状部、及び、水平面で切断した断面が湾曲形状をなし且つ互いに非平行である二つの平板状部の側縁部同士を接続する湾曲接続部、によって側壁の少なくとも一部が構成されている。
そしてフィンの下端位置が、筐体の内周側から外周側へのフィンの並び順に従って徐々に下方に位置するように、前記並び順に沿って配設された複数の前記フィンの上下方向長を互いに異ならせている。
そのため、平板状部の少なくとも一部のみならず湾曲接続部の少なくとも一部においても、連通路を流れる気流の風速が特許文献１よりも広い範囲でおおよそ均一になる。従って、室外機全体として熱交換効率が高くなる。
【００１６】
前記フィンの板厚方向に見たときの前記フィンの形状が、水平方向寸法より上下寸法が長い長方形であってもよい。
【００１７】
通常この種の室外機に利用されるフィンの形状は長方形である。
そのため本発明をこのように構成すると、各フィンの汎用性が高くなる。
従って、本発明とは別タイプの室外機に用いられるフィンを、本発明のフィンとして利用できるようになる。
【００１８】
少なくとも一部の前記フィンの下縁部が、水平方向に対して傾斜し且つ前記筐体の内周側から外周側へ向かうにつれて徐々に下方へ向かう傾斜面によって構成されてもよい。
【００１９】
本発明をこのように構成すると、室外機の連通路を流れる気流の風速がより均一になる。従って、室外機全体として熱交換効率が高くなる。
【図面の簡単な説明】
【００２０】
【図１】本発明の一実施形態の空気調和装置の室外機の側面図である。
【図２】室外熱交換器及びラジエータを模式的に示した室外機の上部筐体の一部の斜視図である。
【図３】室外機の上部の垂直面に沿って切断した模式的な断面図である。
【図４】冷却用チューブ及び冷却水用チューブを省略して示す室外機の上部の模式的な横断平面図である。
【図５】冷却用チューブ及び冷却水用チューブを省略して示す図４のV-V矢線に沿う模式的な断面図である。
【図６】室外熱交換器及びラジエータの上下方向位置と風速との関係を示すグラフである。
【図７】室外機全体の模式的な断面図である。
【図８】変形例の図３と同様の断面図である。
【図９】変形例の図６と同様のグラフである。
【発明を実施するための形態】
【００２１】
以下、本発明の一実施形態について添付図面を参照して説明する。
本実施形態の空気調和装置１０はガスヒートポンプエアコン（ＧＨＰ）である。空気調和装置１０は、建物の室内に設置される室内機（図示略）と、建物の外に設置される室外機１５と、を備えている。さらに室内機と室外機１５は、後述する冷媒管により互いに接続されている。
【００２２】
図１、図２及び図７に示すように室外機１５は、水平面で切断した断面が略矩形形状をなす筐体１６を備えている。さらに筐体１６は、筐体１６の下部を構成する下部筐体１７と、筐体１６の上部を構成する上部筐体１８と、を備えている。下部筐体１７の内部空間はエンジンルームを構成しており、上部筐体１８の内部空間は熱交換室２０を構成している。さらに筐体１６は、その内部においてエンジンルームと熱交換室２０とを仕切る水平板状の仕切板１６ａ（図４、図７参照）を備えている。
【００２３】
図７に示すように下部筐体１７のエンジンルームにはガスによって作動するガスエンジン及び圧縮機が設けられ、且つ、上部筐体１８の熱交換室２０には膨張弁が設けられている。さらにエンジンルームには、図示を省略したアキュムレータが設けられている。
【００２４】
図２に示すように上部筐体１８の環状をなす側壁は、四つの平板状部１９ａ及び二つの湾曲接続部１９ｂを備えている。
平板状部１９ａの水平面で切断した断面は直線状である。一方、湾曲接続部１９ｂの水平面で切断した断面は湾曲形状である。各湾曲接続部１９ｂは、互いに略直交する二つの平板状部１９ａの側縁部同士を接続している。
【００２５】
各平板状部１９ａ及び湾曲接続部１９ｂの大部分は、フィンアンドチューブ構造である室外熱交換器２２及びラジエータ２８により構成されている。
図３乃至図５に示すように、上部筐体１８の中の室外熱交換器２２及びラジエータ２８はいずれも二層構造である。室外熱交換器２２は上部筐体１８の外周部を構成している。ラジエータ２８は、室外熱交換器２２の内周側に位置し且つ上部筐体１８の内周部を構成している。
【００２６】
室外熱交換器２２は金属板からなる複数（多数）のフィン２３ａ、２３ｂを備えている。各フィン２３ａ、２３ｂは上下方向に延びており、その幅方向は上部筐体１８の側壁の厚み方向と平行である。各フィン２３ａ、２３ｂをその板厚方向に見たときの形状は、水平方向より上下方向が長い長方形である。各フィン２３ａ、２３ｂの幅は同一である。但し、フィン２３ｂの上下寸法はフィン２３ａの上下寸法より大きい。
各フィン２３ｂの内周側端面は、内周側に位置する各フィン２３ａの外周側端面と、微小隙間を形成しながらそれぞれ近接している（図３乃至図５参照）。但し、一部のフィン２３ｂの内周側端面が、フィン２３ａの外周側端面と接触するように室外熱交換器２２が構成されることもある（図示略）。各フィン２３ｂ及び各フィン２３ａの上端位置は同一である。一方、各フィン２３ｂの下端は各フィン２３ａの下端より下方に位置している。
各フィン２３ｂは上部筐体１８の外周側に露出している。
【００２７】
さらに室外熱交換器２２は、各フィン２３ａ、２３ｂを水平方向に貫通する金属製の一本の冷却用チューブ２４（伝熱流体流通管）を備えている。冷却用チューブ２４は、水平方向に延びる複数の水平部２５と、隣接する水平部２５の端部同士を接続し且つ半円状をなす複数の端部接続部（図示略）と、を一体的に備えている。
【００２８】
ラジエータ２８は、金属板からなる複数（多数）のフィン２９ａ、２９ｂを備えている。各フィン２９ａ、２９ｂは上下方向に延びており、その幅方向は上部筐体１８の側壁の厚み方向と平行である。各フィン２９ａ、２９ｂをその板厚方向に見たときの形状は、水平方向より上下方向が長い長方形である。各フィン２９ａ、２９ｂの幅は各フィン２３ａ、２３ｂの幅と同一である。さらに、フィン２９ｂの上下寸法はフィン２９ａの上下寸法より大きく且つフィン２９ｂの上下寸法はフィン２３ａの上下寸法より小さい。
各フィン２９ｂの内周側端面は内周側に位置する各フィン２９ａの外周側端面と微小隙間を形成しながらそれぞれ近接しており、且つ、各フィン２９ｂの外周側端面は各フィン２３ａの内周側端面と微小隙間を形成しながらそれぞれ近接している（図３乃至図５参照）。但し、一部のフィン２９ｂの内周側端面がフィン２９ａの外周側端面と接触し、又は／及び、一部の各フィン２９ｂの外周側端面がフィン２３ａの内周側端面と接触するように、室外熱交換器２２及びラジエータ２８が構成されることもある（図示略）。各フィン２９ａ、２９ｂの上端位置は各フィン２３ａ、２３ｂの上端位置と同一である。さらに各フィン２９ｂの下端は各フィン２３ａの下端より上方に位置しており、且つ、各フィン２９ｂの下端は各フィン２９ａの下端より下方に位置している。
各フィン２３ａ、２３ｂ、２９ａ、２９ｂの上端は、上部筐体１８の上端を構成する固定部材に固定されている。さらに各フィン２３ｂの下端は、上部筐体１８の下端を構成する固定部材に固定されている。
【００２９】
各フィン２９ａ、各フィン２９ｂのフィン２９ａより下方に位置する部位、各フィン２３ａのフィン２９ｂより下方に位置する部位、及び各フィン２３ｂのフィン２３ａより下方に位置する部位は、上部筐体１８の内周側に露出している。
【００３０】
さらにラジエータ２８は、各フィン２９ａ、２９ｂを水平方向に貫通する金属製の一本の冷却水用チューブ３０（伝熱流体流通管）を備えている。冷却水用チューブ３０は、水平方向に延びる複数の水平部３１と、隣接する水平部３１の端部同士を接続し且つ半円状をなす複数の端部接続部（図示略）と、を一体的に備えている。
【００３１】
図３乃至図５に示すように、上部筐体１８の周方向の各位置において、四枚のフィン２３ａ、２３ｂ、２９ａ、２９ｂが、上部筐体１８の外周側と内周側とを結ぶ直線方向（並び順）に沿って（おおよそ）並ぶように配設されている（実際には、図４に示すように、隣り合うフィン２３ａ、２３ｂ、２９ａ、２９ｂ同士の殆どは、互いに上部筐体１８の周方向に僅かに位置ずれしている）。さらに各フィン２３ａ、２３ｂ、２９ａ、２９ｂは、上部筐体１８の周方向に対して（完全に又はおおよそ）直交している。
四枚のフィン２３ａ、２３ｂ、２９ａ、２９ｂ全体の幅は、その上下方向位置によって異なる。即ち、四枚のフィン２３ａ、２３ｂ、２９ａ、２９ｂ全体の上端部である第一部２７ａは四枚のフィン２３ａ、２３ｂ、２９ａ、２９ｂによって構成されている。そのため、第一部２７ａの幅は四枚のフィン２３ａ、２３ｂ、２９ａ、２９ｂ全体の中で最も大きい。第一部２７ａの直下に位置する第二部２７ｂは三枚のフィン２３ａ、２３ｂ、２９ｂによって構成されている。そのため、第二部２７ｂの幅は第一部２７ａより狭い。第二部２７ｂの直下に位置する第三部２７ｃは二枚のフィン２３ａ、２３ｂによって構成されている。そのため、第三部２７ｃの幅は第二部２７ｂより狭い。さらに、第三部２７ｃの直下に位置する第四部２７ｄは一枚のフィン２３ｂによって構成されている。そのため、第四部２７ｄの幅は第三部２７ｃより狭い。
【００３２】
そして全てのフィン２３ａ、２３ｂ、２９ａ、２９ｂによって、上部筐体１８の平板状部１９ａの大部分及び湾曲接続部１９ｂの大部分を構成する筐体構成部３２が構成されている。
【００３３】
互いに水平方向に対向する各フィン２３ａ、２３ｂ、２９ａ、２９ｂ同士の間には、上部筐体１８の側壁をその厚み方向に貫通する複数の連通路３３が形成されている（図４参照）。各連通路３３は上部筐体１８の内側空間と外側空間とを連通させている。
【００３４】
空気調和装置１０は、室内機と室外機１５に跨って設けられた冷媒管（図７参照）を備えている。冷媒管の内部には図示を省略した冷媒（伝熱流体）が充填されている。
冷媒管の室内機内に位置する部位には室内機側熱交換器が接続されている。
冷媒管の室外機１５内に位置する複数の部位には、圧縮機、膨張弁及びアキュムレータ等がそれぞれ設けられている。さらに冷媒管の室外機１５内に位置する圧縮機、膨張弁及びアキュムレータ等とは異なる部位には、冷却用チューブ２４の両端が接続されている。
【００３５】
室外機１５は、内部を冷却水（伝熱流体）が流れる冷却水管（図７参照）を備えている。この冷却水管の一部にはガスエンジンが接続されている。さらに冷却水管の一部には冷却水用ポンプが設けられている。冷却水管の一部は互いに並列をなす第一分岐路と第二分岐路とにより構成されている。第一分岐路は、筐体１６内に設けられたエンジン排熱回収器（図示略）を介して冷媒管の一部に接続されている。また第二分岐路には冷却水用チューブ３０の両端が接続されている。さらに冷却水管の一部には、冷却水を第一分岐路と第二分岐路の一方側へ選択して流すための切換弁（図７参照）が設けられている。切換弁は、冷却水管内の冷却水を第一分岐路側にのみ流す第一切換状態と、第二分岐路側にのみ流す第二切換状態と、に切換え可能である。
【００３６】
上部筐体１８の天井板１８ａには排気孔１８ｂ（図３参照）が形成されている。
さらに天井板１８ａの下面には、排気孔１８ｂと対応させてファン３６が設けられている。
図３に示すようにファン３６はラジエータ２８と水平方向に対向している。換言すると、ファン３６は、フィン２３ａ、２３ｂのフィン２９ｂの下端より下方に位置する部位より上方に位置している。
【００３７】
続いて空気調和装置１０の動作について説明する。
空気調和装置１０が作動するとファン３６が回転する。すると、室外熱交換器２２の各連通路３３を通して上部筐体１８の外側の空気が熱交換室２０内へ流れ込み、さらに熱交換室２０に流れた空気が上部筐体１８の排気孔１８ｂから上部筐体１８の上方へ排気される。即ち、ファン３６が回転すると図３に矢印で示した気流が形成される。
【００３８】
空気調和装置１０を暖房モードで作動させると、ガスエンジンの駆動力により圧縮機が作動し、圧縮機が低圧ガス冷媒を圧縮して高温高圧ガス冷媒を生成する。そして、圧縮機が生成した高温高圧ガス冷媒を冷媒管の一方側へ吐出する。するとこの高温高圧ガス冷媒は冷媒管を流れて室内機側熱交換器に流入する。室内機側熱交換器に流入した高温高圧ガス冷媒は室内機側熱交換器内を通る間に上記建物の室内に熱を吐き出して凝縮する。つまり、室内機側熱交換器は暖房時に凝縮器として機能する。このとき高温高圧ガス冷媒から吐き出された熱によって建物の室内の空気が暖められる。室内に熱を吐き出して凝縮した冷媒は一部が液化し、さらに冷媒管に設けられた膨張弁で膨張することにより蒸発しやすいように低圧化される。
【００３９】
空気調和装置１０が暖房モードで作動するとき、上記切換弁が冷却水を第一分岐路側にのみ流す第一切換状態となる。そのためガスエンジンによって加熱され且つ冷却水用ポンプの動力によって冷却水管内を流れる冷却水は、第一分岐路に設けられたエンジン排熱回収器へ流れる。そのため、冷却水の熱がエンジン排熱回収器において冷媒管内の低圧化された冷媒へ伝わる。即ち、冷却水の排熱によって冷媒をオーバーヒートする。
【００４０】
エンジン排熱回収器を通った冷媒は室外熱交換器２２の冷却用チューブ２４へ流入する。
すると冷媒が冷却用チューブ２４を流れている間に、ファン３６によって形成され且つ連通路３３内を流れる気流の熱の一部が冷却用チューブ２４によって吸熱され、この熱が冷却用チューブ２４内の冷媒へ伝わる。さらに連通路３３を流れる気流の熱の一部はフィン２３ａ、２３ｂによって吸熱され、さらにこの熱はフィン２３ａ、２３ｂ及び冷却用チューブ２４を介して冷却用チューブ２４内の冷媒へ伝わる。
このように室外熱交換器２２は暖房時に蒸発器として機能する。
【００４１】
外気の熱を奪って蒸発した冷媒は一部が気化し、さらにアキュムレータに導入される。アキュムレータに導入された冷媒は気液分離され、低温低圧のガス冷媒のみが取り出されて圧縮機に戻される。
このような冷媒の循環サイクルが繰り返されることにより、室内暖房が継続される。
【００４２】
一方、空気調和装置１０を冷房モードで作動させると、ガスエンジンの駆動力により圧縮機が作動し、圧縮機が低圧ガス冷媒を圧縮して高温高圧ガス冷媒を生成する。そして、圧縮機が生成した高温高圧ガス冷媒を冷媒管の一方側へ吐出する。するとこの高温高圧ガス冷媒は室外熱交換器２２の冷却用チューブ２４へ流入する。すると冷媒が冷却用チューブ２４を流れている間に、冷媒の熱の一部が冷却用チューブ２４の表面から連通路３３へ放熱される。さらに冷媒の熱の別の一部は冷却用チューブ２４からフィン２３ａ、２３ｂに伝わり、フィン２３ａ、２３ｂから連通路３３へ放熱される。
冷却用チューブ２４及びフィン２３ａ、２３ｂから連通路３３へ放熱された熱によって温められた各連通路３３内の空気は、ファン３６によって形成された上記気流によって排気孔１８ｂから上部筐体１８の上方へ排気される。
このように室外熱交換器２２は冷房時に凝縮器として機能する。
【００４３】
さらに空気調和装置１０が冷房モードで作動するとき、上記切換弁が冷却水を第二分岐路側にのみ流す第二切換状態となる。そのためガスエンジンによって加熱され且つ冷却水用ポンプの動力によって冷却水管内を流れる冷却水は、第二分岐路に設けられたラジエータ２８の冷却水用チューブ３０へ流れる。すると冷却水が冷却水用チューブ３０を流れている間に、冷却水の熱の一部が冷却水用チューブ３０の表面から連通路３３へ放熱される。さらに冷却水の熱の別の一部は冷却水用チューブ３０からフィン２９ａ、２９ｂに伝わり、フィン２９ａ、２９ｂから連通路３３へ放熱される。
冷却水用チューブ３０から連通路３３へ排気された熱も、ファン３６によって形成された上記気流によって排気孔１８ｂから上部筐体１８の上方へ排気される。
【００４４】
外気に熱を吐き出して凝縮した冷媒は一部液化し、その後に膨張弁を通ることによって膨張する。即ち、膨張弁によって蒸発しやすいように低圧化される。冷媒管内の冷媒は、その後に室内機側熱交換器に流入する。室内機側熱交換器に流入した冷媒は室内機側熱交換器内を通る間に室内空気の熱を奪って蒸発する。つまり、冷房時には室内機側熱交換器が蒸発器として機能する。このとき冷媒が上記建物の室内の空気の熱を奪うことによって室内空気が冷やされて、室内が冷房される。
【００４５】
室内空気の熱を奪って蒸発した冷媒は一部気化し、室内機側熱交換器を通り抜けた後に冷媒管を流れてアキュムレータに導入される。アキュムレータに導入された冷媒は気液分離され、低温低圧のガス冷媒のみが圧縮機に戻される。このような冷媒の循環サイクルが繰り返されることにより、室内冷房が継続される。
【００４６】
このように空気調和装置１０が暖房と冷房のいずれの動作を行うときも、ファン３６によって形成された気流が各連通路３３を流れることにより室外熱交換器２２又は／及びラジエータ２８が熱交換を行う。そして周知のように室外熱交換器２２及びラジエータ２８は、その各部位を流れる気流の風速が均一になればなる程、その熱交換効率が高くなる。
【００４７】
ところで、室外熱交換器２２及びラジエータ２８を構成する各フィン２３ａ、２３ｂ、２９ａ、２９ｂの各部位とファン３６との間の距離は同一ではない。即ち、ファン３６から第一部２７ａまでの距離よりも、ファン３６から第二部２７ｂまでの距離の方が長い。さらに、ファン３６から第二部２７ｂまでの距離よりも、ファン３６から第三部２７ｃまでの距離の方が長い。さらに、ファン３６から第三部２７ｃまでの距離よりも、ファン３６から第四部２７ｄまでの距離の方が長い。
そして、仮に第一部２７ａ、第二部２７ｂ、第三部２７ｃ及び第四部２７ｄの幅寸法が互いに同一となるように室外熱交換器２２及びラジエータ２８を構成した場合は、第一部２７ａ、第二部２７ｂ、第三部２７ｃ及び第四部２７ｄの各部位は、連通路３３を流れる気流に対して同じ大きさの通風抵抗を与える。
そのため、この場合は、第一部２７ａ、第二部２７ｂ、第三部２７ｃ及び第四部２７ｄの各部位に隣接する連通路３３の各部を流れる気流の風速は互いに異なることになる。即ち、連通路３３の第一部２７ａに隣接する部位を流れる気流の風速よりも、連通路３３の第二部２７ｂに隣接する部位を流れる気流の風速が遅くなる。さらに、連通路３３の第二部２７ｂに隣接する部位を流れる気流の風速よりも、連通路３３の第三部２７ｃに隣接する部位を流れる気流の風速が遅くなる。さらに、連通路３３の第三部２７ｃに隣接する部位を流れる気流の風速よりも、連通路３３の第四部２７ｄに隣接する部位を流れる気流の風速が遅くなる。即ち、この場合は室外熱交換器２２及びラジエータ２８の熱交換効率が高くならない。
【００４８】
しかし本実施形態の室外機１５では、上部筐体１８の外周側と内周側とを結ぶ直線方向に（おおよそ）並んだ四枚のフィン２３ａ、２３ｂ、２９ａ、２９ｂ全体の幅が、その上下方向位置によって異なる。即ち、四枚のフィン２３ａ、２３ｂ、２９ａ、２９ｂ全体の幅は、第一部２７ａ、第二部２７ｂ、第三部２７ｃ、第四部２７ｄの順に徐々に小さくなる。換言すると、連通路３３の第一部２７ａに隣接する部位を流れる気流に対して第一部２７ａが付与する通風抵抗は、連通路３３の第二部２７ｂに隣接する部位を流れる気流に対して第二部２７ｂが付与する通風抵抗より大きい。同様に、連通路３３の第二部２７ｂに隣接する部位を流れる気流に対して第二部２７ｂが付与する通風抵抗は、連通路３３の第三部２７ｃに隣接する部位を流れる気流に対して第三部２７ｃが付与する通風抵抗より大きい。同様に、連通路３３の第三部２７ｃに隣接する部位を流れる気流に対して第三部２７ｃが付与する通風抵抗は、連通路３３の第四部２７ｄに隣接する部位を流れる気流に対して第四部２７ｄが付与する通風抵抗より大きい。
そのため本実施形態の室外機１５では、第一部２７ａ、第二部２７ｂ、第三部２７ｃ及び第四部２７ｄの幅寸法を同一にした場合（図６の二点鎖線参照）と比べて、連通路３３の各部位を流れる気流の流速がより均一になっている（図６の実線参照）。従って、室外機１５の室外熱交換器２２及びラジエータ２８の熱交換効率が高くなる。
【００４９】
しかも平板状部１９ａのみならず湾曲接続部１９ｂも、第一部２７ａ、第二部２７ｂ、第三部２７ｃ及び第四部２７ｄを備えている。
そのため湾曲接続部１９ｂを構成する四枚のフィン２３ａ、２３ｂ、２９ａ、２９ｂ全体の幅寸法が上下方向の位置に拘わらず一定の場合と比べて、室外機１５の室外熱交換器２２及びラジエータ２８の熱交換効率が高くなる。
【００５０】
さらに、一般的に室外機に利用されるフィンの形状は長方形である。
そのため室外熱交換器２２及びラジエータ２８を構成する各フィン２３ａ、２３ｂ、２９ａ、２９ｂの汎用性は高い。
従って、室外機１５とは別タイプの室外機に用いられるフィンを、本発明のフィン２３ａ、２３ｂ、２９ａ、２９ｂとして利用可能である。
【００５１】
以上、本発明の実施形態について説明したが、本発明は上記実施形態に限定されるべきものではない。
【００５２】
例えば、本発明は図８及び図９に示す変形例の態様で実施可能である。
本変形例の特徴は、上記直線方向（並び順）に沿って配設された四枚のフィン２３ａ、２３ｂ、２９ａ、２９ｂ全体の形状にある。
本変形例でも、フィン２３ａ、２３ｂ、２９ａ、２９ｂによって、上部筐体１８の平板状部１９ａの大部分及び湾曲接続部１９ｂの大部分を構成する筐体構成部３２が構成されている。
【００５３】
各フィン２３ａ、２３ｂ、２９ａ、２９ｂの幅は互いに同一である。
フィン２９ａ、２９ｂ、２３ａの下縁部２９ａ１、２９ｂ１、２３ａ１は、水平方向及び上下方向に対して傾斜している。さらに各フィン２９ａ、２９ｂ、２３ａ、２３ｂは、微小隙間を形成しながらそれぞれ近接している（図８参照）。但し、一部の隣り合うフィン２９ａ、２９ｂ、２３ａ、２３ｂ同士が互いに接触するように室外熱交換器２２及びラジエータ２８が構成されることもある（図示略）。そして、下縁部２９ａ１、２９ｂ１、２３ａ１が全体として一つの傾斜面２７Ｘを構成している。
一方、フィン２３ｂの下縁部２３ｂ１は水平な平面によって構成されている。
さらに下縁部２３ａ１の下端部は、下縁部２３ｂ１より上方に位置している。
図８に示すようにファン３６は、ラジエータ２８のフィン２９ａと水平方向に対向している。換言すると、ファン３６は、フィン２９ｂ、２３ａ、２３ｂの下縁部２９ａ１の下端より下方に位置する部位より上方に位置している。
【００５４】
上記直線方向に（おおよそ）沿うように配設された四枚のフィン２３ａ、２３ｂ、２９ａ、２９ｂをこのように構成すると、傾斜面２７Ｘの各部位からファン３６までの距離が、下縁部２９ａ１の上端から下縁部２３ａ１の下端に向かうにつれて徐々に長くなる。
さらに、四枚のフィン２３ａ、２３ｂ、２９ａ、２９ｂ全体の中の傾斜面２７Ｘに対応する部位の幅が、下縁部２９ａ１の上端から下方に向かうにつれて徐々に狭くなる。換言すると、連通路３３の傾斜面２７Ｘに隣接する部位を流れる気流に対して、四枚のフィン２３ａ、２３ｂ、２９ａ、２９ｂの傾斜面２７Ｘに対応する部位が付与する通風抵抗は、下縁部２９ａ１の上端から下縁部２３ａ１の下端に向かうにつれて徐々に小さくなる。
そのため、各部位（第一部２７ａ、第二部２７ｂ、第三部２７ｃ、第四部２７ｄ）が発生する通風抵抗が段階的に変化する室外機１５と比べて、本変形例の室外機１５では連通路３３の各部位を流れる気流の流速がより均一になる（図９参照）。従って、本変形例の室外機１５の室外熱交換器２２及びラジエータ２８の熱交換効率は、上記実施形態の室外機１５よりも高くなる。
【００５５】
上記並び順に沿って配設された各フィン２３ａ、２３ｂ、２９ａ、２９ｂのうちの一部のみ（但し、複数）のフィンの下端位置が、内周側から外周側への各フィンの並び順に従って徐々に下方に位置するようにしてもよい。
例えば、フィン２９ａ、２９ｂ、２３ａは上記態様で構成する一方で、フィン２３ｂの下端位置をフィン２３ａの下端位置と同じ高さにしてもよい。
【００５６】
上記変形例において、全てのフィン２３ａ、２３ｂ、２９ａ、２９ｂの下縁部を傾斜面２７Ｘによって構成してもよい。
また、フィン２９ａ及びフィン２９ｂの下縁部のみが傾斜面２７Ｘによって構成されてもよい。この場合は、フィン２３ａ、２３ｂの下縁部は、傾斜面２７Ｘの下端位置と同じ位置か又は傾斜面２７Ｘの下端位置より下方に位置させる。
【００５７】
室外熱交換器２２とラジエータ２８の積層数は四層である必要はなく、一層でも、四層以外の複数層でもよい。
室外機１５から室外熱交換器２２とラジエータ２８の一方を省略してもよい。
【００５８】
各フィン２３ａ、２３ｂ、２９ａ、２９ｂの幅を互いに異ならせてもよい。
さらに、各フィン２３ａ、２３ｂ、２９ａ、２９ｂの幅を互いに同一とした上で、各フィン２３ａ、２３ｂ、２９ａ、２９ｂの幅を上記実施形態及び変形例とは異ならせてもよい。
このような設計変形を行えば、各連通路３３を一定時間内に流れる気流の風量が変化する。換言すると、室外熱交換器２２及び／又はラジエータ２８の熱交換効率を変更可能となる。
【００５９】
ガスヒートポンプエアコン（ＧＨＰ）以外の空気調和装置１０（例えば、電気モータヒートポンプ（ＥＨＰ））に本発明を適用してもよい。
【符号の説明】
【００６０】
１５・・・室外機、１８・・・上部筐体、１９ａ・・・平板状部、１９ｂ・・・湾曲接続部、２２・・・室外熱交換器、２３ａ、２３ｂ・・・フィン、２３ａ１、２３ｂ１・・・下縁部、２４・・・冷媒用チューブ（伝熱流体流通管）２７ａ・・・第一部、２７ｂ・・・第二部、２７ｃ・・・第三部、２７ｄ・・・第四部、２７Ｘ・・・傾斜面、２８・・・ラジエータ、２９ａ、２９ｂ・・・フィン、２９ａ１、２９ｂ１・・・下縁部、３０・・・冷却水用チューブ（伝熱流体流通管）、３２・・・筐体構成部、３３・・・連通路、３６・・・ファン。
【図１】
2018031490.tif 000003
【図２】
2018031490.tif 000004
【図３】
2018031490.tif 000005
【図４】
2018031490.tif 000006
【図５】
2018031490.tif 000007
【図６】
2018031490.tif 000008
【図７】
2018031490.tif 000009
【図８】
2018031490.tif 000010
【図９】
2018031490.tif 000011